(57)【要約】本発明は、第一の実用機能形態あるいは位置と、第二の実用機能形態あるいは位置と、睡眠機能形態あるいは位置との間を、位置変更のための手段によって切り替えられる実用／キャンパー兼用トレーラー（１０）を特徴とする。位置変更手段は、第一（５６）および第二（６０）の形態可変パネル部材をこれらの位置の間で配置変更あるいは位置変更させる。第一の実用機能位置では、実用／キャンパー兼用トレーラー（１０）は、パネル部材（５６、６０）上の荷を支持して運ぶことができ、同時に下のトレーラー荷台に収納場所を提供することができる。第二の実用機能位置では、第一および第二の形態可変パネル部材（５６、６０）を上方に延びるように配置することにより、トレーラー（１０）が形態変更されてトレーラー荷台の内側収納部の容積が増える。睡眠機能位置では、第一および第二の形態可変パネル部材（５６、６０）を外側位置に配置し、独特なテント組立品を実用／キャンパー兼用トレーラーに着脱可能に結合し、各パネル部材がベッドまたは睡眠用領域を提供するように機能する囲まれた睡眠用領域を設けることにより、実用／キャンパー兼用トレーラー（１０）がテントトレーラーに切り替えられる。
2005535486.tif 000002
【特許請求の範囲】
【請求項１】
実用／キャンパー兼用トレーラーにおいて、
床と、
前記床の１以上の外周部からそれぞれが上向きに延びる第一の側壁支持具と第二の側壁支持具と前壁支持具とを備える支持壁組立品であって、前記支持壁組立品が外周を規定し、前記床および前記支持壁組立品が内側収納領域を有する開放型トレーラー荷台を規定するように設けられた支持壁組立品と、
前記第一の側壁支持具に取り付けられた第一の形態可変パネル部材と、
前記第二の側壁支持具に取り付けられた第二の形態可変パネル部材と、
前記第一および第二の形態可変パネル部材をそれぞれ前記第一および第二の側壁支持具へ少なくとも部分的に固定し、前記第一および第二の形態可変パネル部材を第一の実用機能位置と第二の実用機能位置と睡眠機能位置との間で位置変更可能にする位置変更手段と、
前記実用／キャンパー兼用トレーラーに結合された車輪組立品と、
前記実用／キャンパー兼用トレーラーを動力付き車両に着脱可能に連結するための、前記実用／キャンパー兼用トレーラーに結合されたヒッチ組立品と、
を備える実用／キャンパー兼用トレーラー。
【請求項２】
前記第一および第二の側壁支持具ならびに前記前壁支持具は、それぞれが前記床の外周のそれぞれの側部および前部から上へ延びており、前記第二の側壁支持具は、前記第一の側壁支持具と対向する相補的な関係にずらして置かれ、前記前壁支持具は、前記第一および第二の側壁支持具に実質的に垂直となるように接続されている請求項１に記載の実用／キャンパー兼用トレーラー。
【請求項３】
前記支持壁組立品は、前記床の垂直後部から上へ延びて前記第一および第二の側壁支持具に実質的に垂直となるように接続された後壁支持具をさらに備え、前記後壁支持具は、前記前壁支持具と対向する相補的な関係にずらして置かれている請求項２に記載の実用／キャンパー兼用トレーラー。
【請求項４】
前記第一の実用機能位置は、前記第一および第二の形態可変パネル部材がそれぞれ前記第一および第二の側壁支持具から内側に延びて実質的に水平な位置に配置されて前記外周の内に位置して前記第一および第二の側壁支持具ならびに前記前壁支持具に支持されることによって規定され、載荷面を提供できるように前記第一の実用機能位置に前記第一および第二の形態可変パネル部材が配置される請求項１に記載の実用／キャンパー兼用トレーラー。
【請求項５】
前記第二の実用機能位置は、前記第一および第二の形態可変パネル部材がそれぞれ前記第一および第二の側壁支持具から上方へ延びるように実質的に鉛直な位置に配置されることによって規定され、前記トレーラー荷台の内部容積を増加できるように前記第二の実用機能位置に前記第一および第二の形態可変パネル部材が配置される請求項１に記載の実用／キャンパー兼用トレーラー。
【請求項６】
前記睡眠機能位置は、前記第一および第二の形態可変パネル部材がそれぞれ前記第一および第二の側壁支持具から外側に延びる実質的に水平な位置に配置されて前記外周の外に位置することによって規定され、前記第一の形態可変パネル部材が第一の睡眠用領域を規定し、前記第二の形態可変パネル部材が第二の睡眠用領域を規定する請求項１に記載の実用／キャンパー兼用トレーラー。
【請求項７】
前記睡眠機能位置における前記第一および第二の形態可変パネル部材に支えを提供するために前記第一および第二の形態可変パネル部材を保持する手段をさらに備える請求項１に記載の実用／キャンパー兼用トレーラー。
【請求項８】
前記保持する手段は、前記第一および第二の形態可変パネル部材のそれぞれから延びる保持システムを備え、前記保持システムは、前記両形態可変パネル部材の表面から実質的に垂直に延びて前記両形態可変パネル部材からずれた位置で保持レールを支持するために用いられた複数の延長部を備えており、前記保持システムは、前記両形態可変パネル部材が水平方向を向いた前記睡眠機能位置において前記両形態可変パネル部材への荷重を受けて支えるように設けられており、前記両形態可変パネル部材を前記睡眠機能位置に配置する際に前記第一および第二の側壁支持具と接する請求項７に記載の実用／キャンパー兼用トレーラー。
【請求項９】
前記第一および第二の形態可変パネル部材を前記睡眠機能位置で安定させ支持するための１以上の突っ張り支持具をさらに備える請求項１に記載の実用／キャンパー兼用トレーラー。
【請求項１０】
前記各突っ張り支持具は、前記トレーラー荷台に設置されたトレーラー付属部品に取り付けられた第一の端と、前記第一および第二の形態可変パネル部材のそれぞれに設置された形態可変パネル部材付属部品に取り付けられた第二の端とを有する請求項９に記載の実用／キャンパー兼用トレーラー。
【請求項１１】
前記第一および第二の形態可変パネル部材の一部を前記第一の実用機能位置で支持する中央支持部材をさらに備える請求項１に記載の実用／キャンパー兼用トレーラー。
【請求項１２】
前記第一および第二の形態可変パネル部材を前記第一および第二の実用機能位置ならびに前記睡眠機能位置のいずれにも固定する固定手段をさらに備える請求項１に記載の実用／キャンパー兼用トレーラー。
【請求項１３】
前記位置変更手段はヒンジ組立品を備え、前記ヒンジ組立品は、前記第一および第二の形態可変パネル部材をそれぞれ前記第一および第二の側壁支持具へ結合し、前記第一および第二の形態可変パネル部材をそれらの配置された形態に少なくとも部分的に支持する請求項１に記載の実用／キャンパー兼用トレーラー。
【請求項１４】
前記位置変更手段は経路組立品を備え、前記経路組立品は、前記第一および第二の形態可変パネル部材をそれぞれ前記第一および第二の側壁支持具に結合し、前記トレーラーが前記第一および第二の実用機能位置ならびに前記睡眠機能位置を実現できるように前記第一および第二の形態可変パネル部材を位置変更可能にする請求項１に記載の実用／キャンパー兼用トレーラー。
【請求項１５】
前記第一および第二の形態可変パネル部材は、前記トレーラーが前記睡眠機能形態にある間に好適な睡眠用面を提供するパッド手段をさらに備える請求項１に記載の実用／キャンパー兼用トレーラー。
【請求項１６】
前記実用／キャンパートレーラーは、着脱可能に結合された付加的な壁台をさらに備え、前記第一の実用機能位置にあるときに前記実用／キャンパートレーラーの運ぶ荷に対して横方向の支えを提供するように前記壁台が前記実用／キャンパートレーラーに結合される請求項１に記載の実用／キャンパー兼用トレーラー。
【請求項１７】
前記睡眠機能位置において前記実用／キャンパー兼用トレーラーに着脱可能に結合されて囲まれた睡眠用領域を提供することができるテント組立品をさらに備え、前記テント組立品は複数の付勢される枠部材を備え、前記複数の枠部材にカバーが取り付けられており、前記トレーラーが前記睡眠機能位置にあるときに前記複数の枠部材が前記トレーラーの前記内側部分の中の収納位置から完全設営位置へと立ち上がる請求項１に記載の実用／キャンパー兼用トレーラー。
【請求項１８】
実用／キャンパー兼用トレーラーであって、
固定床からそれぞれ上方へ延びる第一の側壁支持具と第二の側壁支持具と前壁支持具とによって規定された開放型トレーラー荷台と、
前記第一および第二の側壁支持具にそれぞれ結合され、前記実用／キャンパー兼用トレーラーが第一の実用機能形態と第二の実用機能形態と睡眠機能形態との間で切り替わることを可能にする相補的な第一および第二の形態可変パネル部材であり、前記第一の実用機能形態は、前記第一および第二の形態可変パネル部材がそれぞれ前記第一および第二の側壁支持具から内側に延びて実質的に水平な位置に配置されて外周の内に位置することによって規定され、載荷面を提供できるように前記第一の実用機能位置に前記第一および第二の形態可変パネル部材が配置され、前記第二の実用機能形態は、前記第一および第二の形態可変パネル部材がそれぞれ前記第一および第二の側壁支持具から上方へ延びるように実質的に鉛直な位置に配置されることによって規定され、前記トレーラー荷台の内部容積を増加できるように前記第二の実用機能位置に前記第一および第二の形態可変パネル部材が配置され、前記睡眠機能形態は、前記第一および第二の形態可変パネル部材がそれぞれ前記第一および第二の側壁支持具から外側に延びる実質的に水平な位置に配置されて前記外周の外に位置することによって規定され、前記第一の形態可変パネル部材が第一の睡眠用領域を規定し、前記第二の形態可変パネル部材が第二の睡眠用領域を規定しているところの、第一および第二の形態可変パネル部材と、
前記第一および第二の形態可変パネル部材を、前記第一および第二の実用機能形態ならびに前記睡眠機能形態の間で循環的に位置変更可能にする位置変更手段と、
を備える実用／キャンパー兼用トレーラー。
【請求項１９】
実用／キャンパー兼用トレーラーを実用トレーラーからキャンパートレーラーへ切り替える方法であって、
固定床からそれぞれ上方へ延びる第一の側壁支持具と第二の側壁支持具と前壁支持具とによって規定される開放型トレーラー荷台を有する前記実用／キャンパー兼用トレーラーに第一および第二の形態可変パネル部材を結合し、前記第一および第二の形態可変パネル部材をそれぞれ前記第一および第二の側壁支持具に結合するステップと、
前記実用／キャンパー兼用トレーラーを第一の実用機能形態に配置するステップであって、前記第一の実用機能形態は、前記第一および第二の形態可変パネル部材がそれぞれ前記第一および第二の側壁支持具から内側に延びて実質的に水平な位置に配置されることによって規定され、前記実用／キャンパー兼用トレーラーに載荷面を提供できる前記第一の実用機能位置に前記第一および第二の形態可変パネル部材が配置されるステップと、
前記実用／キャンパー兼用トレーラーを前記第一の実用機能形態から睡眠機能形態へ、前記第一および第二の形態可変パネル部材を前記第一の実用機能形態と前記睡眠機能形態との間で循環的に切り替え可能にする位置変更手段によって切り替えるステップであって、前記睡眠機能形態は、前記第一および第二の形態可変パネル部材がそれぞれ前記第一および第二の側壁支持具から外側に延びる実質的に水平な位置に配置されることによって規定され、前記第一の形態可変パネル部材が第一の睡眠用領域を規定し、前記第二の形態可変パネル部材が第二の睡眠用領域を規定するステップと、
を備える方法。
【請求項２０】
前記実用／キャンパー兼用トレーラーを前記第一の実用機能形態から第二の実用機能形態へ前記位置変更手段によって切り替える中間ステップをさらに備え、前記第二の実用機能位置は、前記第一および第二の形態可変パネル部材がそれぞれ前記第一および第二の側壁支持具から上方へ延びるように実質的に鉛直な位置に配置されることによって規定され、前記トレーラー荷台の内部容積を増加できるように前記第二の実用機能位置に前記第一および第二の形態可変パネル部材が配置される請求項１９に記載の方法。
【請求項２１】
前記第一の実用機能形態において前記動的な床組立品上の特定可能な荷を支持して運ぶステップをさらに備える請求項１９に記載の方法。
【請求項２２】
前記睡眠機能形態においてテント組立品を前記実用／キャンパー兼用トレーラーに着脱可能に結合して囲まれた睡眠用領域を作り出すステップをさらに備え、前記第一の形態可変パネル部材が第一の睡眠用領域を規定し、前記第二の形態可変パネル部材が第二の睡眠用領域を規定し、前記テント組立品は複数の付勢される枠部材を備え、前記複数の枠部材にカバーが取り付けられており、前記トレーラーが前記睡眠機能位置にあるときに前記複数の枠部材が前記トレーラーの前記内側部分の中の収納位置から完全設営位置へと立ち上がる請求項１９に記載の方法。
【請求項２３】
前記実用／キャンパー兼用トレーラーを前記睡眠機能形態から元の前記第一の実用機能形態へ位置変更手段によって切り替えるステップをさらに備える請求項１９に記載の方法。
【請求項２４】
テント組立品であって、
収納および容易な運送のために畳まれ可能な主支持構造物を備え、
前記主支持構造物は枠組立品を備え、前記枠組立品は、縦側および横側支持構造物を有するベース部と、前記ベース部に回動可能に結合され前記ベース部から延びる１以上の付勢される支持部材とを備え、前記付勢される支持部材は、前記テント組立品に構造的な支えを提供し、付勢手段の補助によって収納位置から完全設営位置へと回動可能であり、前記付勢手段は、前記枠組立品を持ち上げるために必要な仕事の一部を行うように機能し、
前記主支持構造物は、さらに、前記付勢される支持部材から対向する方向へ延びて、テントカバーに上部横方向の支えを提供する複数の延長ステーを備え、
前記テント組立品は、さらに、前記主支持構造物に合うように被さって前記テント組立品の囲まれた内側を構成することができるテントカバーを備えている、
テント組立品。
【請求項２５】
前記１以上の付勢される支持部材は、
前記ベース部に回動可能に結合され前記ベース部から実質的に鉛直に延びる第一および第二の鉛直支持具と、
前記第一および第二の鉛直支持具にそれぞれ回動可能に結合された第一および第二のリンクアームと、
前記第一および第二のリンクアームにそれぞれ回動可能に結合された第一および第二の変移アームと、
前記第一および第二のリンクアームに回動可能に結合され、前記第一および第二の変移アームと滑動可能に結合するように延びるルーフ支持具と、
を備える請求項２４に記載のテント組立品。
【請求項２６】
前記付勢手段は、前記枠組立品に結合されて前記枠組立品に特定の力を加え、前記主支持構造物の設営および畳みを補助する１以上のリフト補助装置を備える請求項２４に記載のテント組立品。
【請求項２７】
前記リフト補助装置は、１以上の液圧リフトを備える請求項２６に記載のテント組立品。
【請求項２８】
完全に組み立てられた設営位置で前記テント組立品をロックして前記テント組立品の不注意または不必要な畳みを防ぐ手段をさらに備える請求項２４に記載のテント組立品。
【請求項２９】
前記テント組立品は、完全に組み立てられた状態で全体が畳まれ、収納され、かつ運搬可能であり、単に前記テント組立品を所望の場所に置き、前記主支持構造物の一部を引き上げることによって、前記付勢手段が、前記テント組立品の前記収納位置から前記完全設営位置への伸展および変移を促進して、前記テント組立品が設営されるように構成されている請求項２４に記載のテント組立品。
【請求項３０】
前記変移アームは、前記ルーフ支持具の対向する端部に配置されたそれぞれの係合部材の中を滑動し、前記テントカバーを適切に張るために前記テントカバーに上方外側向きの変移力を加えるように前記変移アームが機能する請求項２５に記載のテント組立品。
【請求項３１】
前記テントカバーは、ドア組立品および複数の窓を備える請求項２４に記載のテント組立品。
【請求項３２】
前記ベース部は、その所期の使用目的に合うように適応させられた幾何学形状を備える請求項２４に記載のテント組立品。
【請求項３３】
さまざまな付属品を取り付けて支持することができる横取付支持具をさらに備える請求項２４に記載のテント組立品。
【請求項３４】
前記枠組立品の前記横取付支持具に着脱可能に結合されたテーブル組立品をさらに備え、前記テーブル組立品が取り付けられていても前記テント組立品が畳まれ可能なように前記テーブル組立品が折り畳まれ、前記テーブル組立品は、テーブルと、前記ベース部に回動可能に結合された少なくとも１の脚支持具と、前記テーブルを立った水平な位置で固定し支持するために前記枠組立品と係合する手段とを備える請求項３３に記載のテント組立品。
【請求項３５】
前記テーブル組立品は、前記ベース部および前記少なくとも１の脚支持具に取り付けられて前記テント組立品の収納および設営を容易にする付勢手段を備える請求項３４に記載のテント組立品。
【請求項３６】
前記主支持構造物の前記枠組立品は、実質的に互いに直線状に畳める請求項２４に記載のテント組立品。
【請求項３７】
前記テント組立品は、より効率的かつ容易な運搬のために袋状の入れ物に収容可能である請求項２４に記載のテント組立品。
【請求項３８】
実用／キャンパー兼用トレーラーと共に使用するためのテント組立品であって、
前記テント組立品は、収納のために畳まれ可能な主支持構造物を備え、
前記主支持構造物は枠組立体を備え、
前記枠組立体は、縦側および横側支持構造物を有するベース部と、前記ベース部に回動可能に結合され前記ベース部から実質的に鉛直に延びる第一および第二の鉛直支持具と、前記第一および第二の鉛直支持具にそれぞれ回動可能に結合された第一および第二のリンクアームと、前記第一および第二のリンクアームにそれぞれ回動可能に結合された第一および第二の変移アームと、前記第一および第二のリンクアームに回動可能に結合され、前記第一および第二の変移アームと滑動可能に結合するように延びるルーフ支持具と、前記枠組立品に結合されて前記枠組立品に特定の力を加え、前記主支持構造物の設営および畳みを補助する１以上のリフト補助装置とを備えており、
前記主支持構造物は、さらに、それぞれ前記第一および第二の変移アームから対向する方向へ延びて、テントカバーに上部横方向の支えを提供する複数の延長ステーを備えており、
前記テント組立品は、さらに、前記主支持構造物に合うように被さって前記テント組立品の囲まれた内側を構成することができるテントカバーを備えており、
前記実用／キャンパートレーラーは、睡眠機能位置に配置された第一および第二の形態可変パネル部材を備えており、前記テント組立品は、前記実用／キャンパートレーラー内に着脱可能に収められ、収納位置から完全設営位置へと変移されて、前記睡眠機能位置において前記実用／キャンパートレーラーと共に使用される前記テント組立品を構成する、テント組立品。
【請求項３９】
前記枠組立品に着脱可能に結合されたテーブル組立品をさらに備え、前記テーブル組立品が取り付けられていても前記テント組立品が畳まれ可能なように前記テーブル組立品が折り畳まれ、前記テーブル組立品は、テーブルと、前記ベース部に回動可能に結合された少なくとも１の脚支持具と、前記テーブルを立った水平な位置で固定し支持するために前記枠組立品と係合する手段とを備える請求項３８に記載のテント組立品。
【請求項４０】
前記テーブル組立品は、前記ベース部および前記少なくとも１の脚支持具に取り付けられて前記テント組立品の収納および設営を容易にする付勢手段を備える請求項３９に記載のテント組立品。
【請求項４１】
前記テント組立品は、完全に組み立てられたままの状態で全体が畳まれ、収納され、かつ運搬可能であり、単に前記テント組立品を所望の場所に置き、前記主支持構造物の一部を引き上げることによって、前記付勢手段が、前記テント組立品の前記収納位置から前記完全設営位置への伸展および変移を促進して、前記テント組立品が設営されるように構成されている請求項３８に記載のテント組立品。
【請求項４２】
前記変移アームは、前記ルーフ支持具の対向する端部に配置されたそれぞれの係合部材の中を滑動し、前記テントカバーを適切に張るために前記テントカバーに上方外側向きの変移力を加えるように前記変移アームが機能する請求項３８に記載のテント組立品。
【請求項４３】
前記テントカバーは、ドア組立品および複数の窓を備える請求項３８に記載のテント組立品。
【請求項４４】
前記ベース部は、その所期の使用目的に合うように適応させられた幾何学形状を備える請求項３８に記載のテント組立品。
【請求項４５】
前記ベース部に結合され、さまざまな付属品を取り付けて支持することができる横取付支持具をさらに備える請求項３８に記載のテント組立品。
【請求項４６】
実用空間を睡眠用領域へ切り替えるための方法であって、
運搬ケース内に収納された畳み可能なテント組立品を取得するステップであって、収納および容易な運送のために畳める主支持構造物と、前記主支持構造物に合うように被さって前記テント組立品の囲まれた内側を構成することができるテントカバーとを備えるテント組立品を取得するステップと、
前記テント組立品を収容することができる実用空間に前記畳み可能なテント組立品を配置するステップと、
前記主支持構造物の一部を引き上げて１以上の付勢される支持部材を作動させ、前記テント組立品を収納された畳み位置から完全に組み立てられた設営位置へと変移させるステップと、
を備える方法。
【請求項４７】
前記運搬ケース内の前記テント組立品は完全なまま、しかし畳まれた状態で前記運搬ケース内に収納されている請求項４６に記載の方法。
【請求項４８】
前記主支持構造物が枠組立品を備え、前記枠組立品は、縦側および横側支持構造物を有するベース部と、前記ベース部に回動可能に結合され前記ベース部から延びる１以上の付勢される支持部材とを備え、前記付勢される支持部材は、前記テント組立品に構造的な支えを提供し、付勢手段の補助によって収納位置から完全設営位置へと回動可能であり、前記付勢手段は、前記枠組立品を持ち上げるために必要な仕事の一部を行うように機能し、
前記主支持構造物は、さらに、前記主支持構造物から対向する方向へ延びて、テントカバーに上部横方向の支えを提供する複数の延長ステーを備える、
請求項４６に記載の方法。
【請求項４９】
ロック手段を用いて、前記完全に組み立てられた設営位置で前記テント組立品をロックするステップをさらに備える請求項４６に記載の方法。
【請求項５０】
前記テント組立品のロックを外して前記主支持構造物を畳まれるまで引き下ろすことによって、前記テント組立品を前記完全に組み立てられた設営位置から前記畳まれた収納位置へと変移させるステップをさらに備え、前記変移させるステップは、前記テント組立品が実質的に組み立てられたままの状態で行われる請求項４６に記載の方法。
【請求項５１】
前記主支持構造物に着脱可能に結合され、前記テント組立品の畳み可能な性質を妨げることなく必要に応じてじゃまにならないように折り畳めるテーブル組立品を提供するステップをさらに備える請求項４６に記載の方法。
【請求項５２】
実用／キャンパー兼用トレーラーにおいて、
床と、
前記床の１以上の外周部からそれぞれが上向きに延びる第一の側壁支持具と第二の側壁支持具と前壁支持具とを備える支持壁組立品であって、前記支持壁組立品が外周を規定し、前記床および前記支持壁組立品が内側収納領域を有する開放型トレーラー荷台を規定するように設けられた支持壁組立品と、
前記第一の側壁支持具に取り付けられた少なくとも１つの形態可変パネル部材と、
前記第一の側壁支持具に取り付けられた前記少なくとも１つの形態可変パネル部材の向かい側の、前記第二の側壁支持具に取り付けられた少なくとも１つの形態可変パネル部材と、
前記形態可変パネル部材をそれぞれ前記第一および第二の側壁支持具へ少なくとも部分的に固定し、前記形態可変パネル部材を第一の実用機能位置と第二の実用機能位置と睡眠機能位置との間で位置変更可能にする位置変更手段と、
前記実用／キャンパー兼用トレーラーに結合された車輪組立品と、
前記実用／キャンパー兼用トレーラーを動力付き車両に着脱可能に連結するための、前記実用／キャンパー兼用トレーラーに結合されたヒッチ組立品と、
を備える実用／キャンパー兼用トレーラー。
【請求項５３】
トラック荷台の内部に着脱可能に取り付けられる箱形枠組立品であって、
ベース部と、
前記ベース部から延び前記ベース部に確実に結合された少なくとも２つの対向する壁支持具と、
第一の壁支持具に取り付けられた少なくとも１つの形態可変パネル部材と、
前記第一の壁支持具に取り付けられた前記少なくとも１つの形態可変パネル部材の向かい側の、前記第二の壁支持具に取り付けられた少なくとも１つの相補的な形態可変パネル部材と、
前記形態可変パネル部材をそれぞれ前記第一および第二の壁支持具へ少なくとも部分的に固定し、前記形態可変パネル部材を、第一の実用機能位置と第二の実用機能位置と睡眠機能位置との間で位置変更可能にする位置変更手段と、
を備える箱形枠組立品。
【請求項５４】
前記睡眠機能位置において前記枠組立品に着脱可能に結合されて囲まれた睡眠用領域を提供することができるテント組立品をさらに備え、前記テント組立品は複数の付勢される枠部材を備え、前記複数の枠部材にカバーが取り付けられており、前記枠組立品が前記睡眠機能位置にされるときに前記複数の枠部材が収納位置から完全設営位置へと立ち上がる請求項５３に記載の枠組立品。
【発明の詳細な説明】
【技術分野】
【０００１】
１．発明の属する技術分野
本発明は、牽引トレーラーおよびテント組立品に関し、特に、単一で一体型のコンセプトを備える実用／キャンパー兼用トレーラー（combination utility／camper trailer）に関する。そのコンセプトとは、実用／キャンパー兼用トレーラーが、いくつかの形態の間を自在に切り替わり、本明細書に記述された独特なテント組立品を用いて実用トレーラーまたはキャンパーのいずれとしても機能することができるというものである。
【背景技術】
【０００２】
２．本発明の背景
近年、キャンプの人気が高まっている。大自然の美しさを楽しんだり骨折り仕事やストレスに満ちた日々から逃れたりするために、大勢の人々が大自然に繰り出している。そのようなわけで、アウトドアを快適に体験できて、しかも望ましい適度な「逃避」感覚を得られるようなさまざまな種類のキャンパー、キャンプ用トレーラー、モーターホーム等を、大勢の人々が買い求めている。
【０００３】
さらに、このようにレクリエーション用車両の人気が非常に高くなった結果、大勢の人々が、アウトドアをより楽しめるようなＡＴＶ（全地形型車両）やオートバイ、船舶等を購入している。しかしながら、楽しむためには、そうしたレクリエーション用車両を目的地まで運ぶために、実用トレーラーのような何らかの種類の運搬手段が必要である。同様に、レクリエーション用車両を所有していない人でも、特定の場所まで運搬しなければならないような他の品物を持っている場合がある。
【０００４】
以前は、キャンパートレーラーでキャンプ旅行をしたく、そして１台以上のレクリエーション用車両または他の種類の積み荷を持っていきたい場合、実用トレーラーとは別にキャンパートレーラーを持っていなければならず、その両方を荷造りして持っていかなければならなかった。
【０００５】
キャンパートレーラーは当技術分野において広く知られており、それは実用トレーラーも同じである。しかしながら、キャンパートレーラーや実用トレーラーは、その所期の機能を発揮するのであって、それ以上のものを提供し得るだけの可変性に乏しい。確かにキャンパートレーラーでさまざまなキャンプ用具や他の用品等を運ぶことはあるが、キャンパートレーラーのそうした能力には限界があり、そのような使用目的にはあまり適していない。まして、キャンパートレーラーでＡＴＶのような重くてかさばる荷を運ぶのは、間違いなく無理である。同じように、実用トレーラーは主にさまざまな大きさと重さの荷を積んで運ぶのに適している。実用トレーラーはＡＴＶなどの大きくて重い品物を運ぶのに理想的である。しかし、そこで眠るのにはあまり適していない。このようなわけで、必要を満たすために複数のトレーラーを持っている人々を目にすることが珍しくない。
【０００６】
キャンプの長旅中に複数のトレーラーを引くことで直面する不便さに加えて、従来技術による牽引トレーラーにはさらなる欠点がある。キャンパートレーラーも実用トレーラーも所有したいと望む人々の、その必要を満たし欲求に応えるために複数のトレーラーを購入すると、非常に費用がかかるのである。
【発明の開示】
【課題を解決するための手段】
【０００７】
発明の概要
前述した事情から、実用トレーラーとキャンプ用トレーラーとの間を自在に切り替わり得るトレーラー、それも、ほとんど手間をかけずに、かつこれらの種類の単独型トレーラーそれぞれがもたらすどんな利益をも犠牲にすることなく切り替わり得るトレーラーが求められている。
【０００８】
そこで、本発明のいくつかの実施の形態は、実用型トレーラーとキャンプ用トレーラーの双方の利益と利点とを、単独の、完全に一体化された使いやすい実用／キャンパー兼用トレーラーの中に兼ね備えた実用／キャンパー兼用トレーラーを提供する。
【０００９】
本発明のいくつかの実施の形態は、複数の機能形態を提供できる実用／キャンパー兼用トレーラーを提供する。
【００１０】
本発明のいくつかの実施の形態は、実用トレーラーとキャンプ用トレーラーとの間をほとんど手間をかけずに切り替えられる実用／キャンパー兼用トレーラーを提供する。
【００１１】
さらに、本発明のいくつかの実施の形態は、睡眠機能形態において囲まれた睡眠用領域を提供するためにテント組立品（組立品はassemblyの訳で、部品の集まりを意味し、アセンブリ、組体、組合せ物ともいう、本明細書および請求の範囲において同じであり、例えば支持壁組立品や枠組立品というときも同じ）を取り付けられる実用／キャンパー兼用トレーラーを提供する。
【００１２】
また、本発明のいくつかの実施の形態は、実用／キャンパートレーラーと共に働く独特なテント組立品であって、収納位置から折り畳み位置へと容易に変移させられるテント組立品を提供する。
【００１３】
本明細書に具体化され広く記述された本発明によれば、本発明は、動力付き車両で牽引することのできる実用／キャンパー兼用トレーラーを特徴とする。特に特徴とするのは、床と、床の１以上の外周部からそれぞれが上向きに延びる第一の側壁支持具と第二の側壁支持具と前壁支持具とを備える支持壁組立品であって、支持壁組立品が外周を規定し、床および支持壁組立品が内側収納領域を有する開放型トレーラー荷台を規定するように設けられた支持壁組立品と、第一の側壁支持具に取り付けられた第一の形態可変パネル部材と、第二の側壁支持具に取り付けられた第二の形態可変パネル部材と、第一および第二の形態可変パネル部材を位置変更する手段であって、第一および第二の形態可変パネル部材をそれぞれ第一および第二の側壁支持具へ少なくとも部分的に固定し、また第一および第二の形態可変パネル部材の、第一の実用機能位置と第二の実用機能位置と睡眠機能位置との間の位置変更を容易にする手段と、実用／キャンパー兼用トレーラーに結合された車輪組立品と、実用／キャンパー兼用トレーラーを動力付き車両に着脱可能に連結するための、実用／キャンパー兼用トレーラーに結合されたヒッチ（連結部）組立品とを備える実用／キャンパー兼用トレーラーである。
【００１４】
好ましい実施の形態において、位置変更のための手段は、第一および第二の形態可変パネル部材を第一および第二の側壁へ結合するヒンジを備える。位置変更手段はまた、実用／キャンパー兼用トレーラーが第一および第二の実用機能形態ならびに睡眠機能形態の間を切り替われるように形態可変パネル部材が位置変更され得るよう機能できる、経路（チャネル）組立品などの形態またはシステムで構成されてもよい。
【００１５】
第一および第二の側壁支持具ならびに前壁支持具は、それぞれが床のそれぞれの外周の横部および前部から上へ延び、第二の側壁支持具は、第一の側壁支持具と対向する相補的な関係にずらして置かれ、前壁支持具は、第一および第二の側壁支持具に実質的に垂直となるように接続されている。
【００１６】
支持壁組立品は、床の垂直な後部から上へ延びて第一および第二の側壁支持具に実質的に垂直となるように接続する後壁支持具をさらに備える。側壁支持具と同様、後壁支持具は、前壁支持具と対向する相補的な関係にずらして置かれている。
【００１７】
上に述べたように、本発明の実用／キャンパー兼用トレーラーは、少なくとも３つの別々かつ独立した機能位置（姿勢）あるいは機能形態を特徴としている。これらの機能形態は、これらの機能形態が単一の実用／キャンパー兼用トレーラーにて組み合わされ、各機能を実現する別々のトレーラーを必要としないという点で、独特な態様を提供する。具体的には、本発明の実用／キャンパー兼用トレーラーは、第一および第二の形態可変パネル部材がそれぞれ第一および第二の側壁支持具から内側に延びる実質的に水平な位置に配置され、外周の２次元的な境界の内にあることによって規定される、第一の実用機能位置を提供する。第一および第二の形態可変パネル部材は、ＡＴＶなどの品物または用具のための載荷面を実用／キャンパー兼用トレーラーに提供できるように、第一の実用機能位置に配置される。
【００１８】
第二の実用機能位置は、第一および第二の形態可変パネル部材がそれぞれ第一および第二の側壁支持具から上方へ延びるように実質的に鉛直な位置に配置されることによって規定される。第一および第二の形態可変パネル部材は、トレーラー荷台の内部容積を増加できるように第二の実用機能位置に配置され、大きな品物や固定型トレーラー荷台に収まりきれない積み荷を運ぶ時に便利である。
【００１９】
睡眠機能位置は、第一および第二の形態可変パネル部材がそれぞれ第一および第二の側壁支持具から外側に延びる実質的に水平な位置に配置されて外周の外にあることによって規定される。この位置あるいは形態においては、第一の形態可変パネル部材が第一の睡眠用領域を規定し、第二の形態可変パネル部材が第二の睡眠用領域を規定する。形態可変パネル部材は側壁から実質的に垂直となるように伸展しているので、これらが荷を載せ支えることができるよう、これらを適切に支持する必要がある。そこで、本発明は、形態可変パネル部材を保持するための手段を特徴とし、保持するための手段は、好ましくは、保持レールと、保持レールを各形態可変パネル部材からずらすために設けられた複数の延長部とを有する保持組立品を備える。保持するための手段はまた、パネルとトレーラーとの間に付くよう設計された１以上の突っ張り支持具を備えてもよい。突っ張り支持具はそうして支柱のように機能して第一および第二の形態可変パネル部材を睡眠機能位置で安定させ支持する。睡眠機能位置において、実用／キャンパー兼用トレーラーはテント組立品を受け入れることができる。
【００２０】
本発明は、上述のような第一および第二のみの形態可変パネル部材以外に、実用／キャンパートレーラーで複数の形態可変パネル部材を利用する他の実施の形態も企図しているということに留意されたい。例えば、４箇所収納のトレーラーにおいて第一、第二、第三、および第四の形態可変パネル部材が用いられてもよく、その場合はそれらの部材の２つずつがトレーラーの両側に配置される。要するに、本発明は第一および第二の形態可変パネル部材の組み合わせに限定されないということであり、必要や希望に応じていくつかの形態可変パネル部材を利用してもよいということである。いくつかのあり得る形態や組み合わせについては、当業者には明白かつ明らかであろう。
【００２１】
さらに、本発明の実用／キャンパー兼用トレーラーは、さまざまな大きさおよびさまざまな形状で製造されてもよい。好ましい実施の形態の実用／キャンパートレーラーは、本明細書において図面に示され記述された通りである。しかしながら、本発明は、バギーや四輪車などのＡＴＶの後ろに牽引するよう特に作られた、好ましい実施の形態のトレーラーの小型版のような他の設計も企図している。これらは当業者には明白かつ明らかであろう。最後に、本発明は、フルサイズトラックやより小型のピックアップトラックなど、どんな大きさのトラックでもその荷台内に着脱可能に取り付けられるトラック荷台枠を特徴とする。この実施の形態において、トラック荷台枠は、上述したものと同様に機能するベース部と、側壁支持具と、前および後壁支持具と、２以上の形態可変パネル部材とを備えてもよい。この実施の形態においては、トラック荷台枠は、その大きさおよび形状で、トラック上にある壁支持具と共に機能して、本明細書に詳細に述べられた実用／キャンパー兼用トレーラーと同様の機能を提供することになる。
【００２２】
先に述べたように、本発明はさらにテント組立品を特徴とする。テント組立品は、好ましくは、畳める主支持構造物を備えており、主支持構造物それ自体は枠組立品および複数の延長ステーを備えていて、延長ステーがテントカバーに上部横方向の支えを提供する。好ましい実施の形態において、枠組立品は一連の付勢される部品を備え、付勢される部品は、畳まれた収納状態あるいは収納位置から完全に組み立てられた設営位置へと変移する際に補助される。枠組立品の部品を付勢するために用いられる付勢手段は、ユーザがテント組立品を設営するのを補助するにふさわしい力を供給することのできる、１以上の気圧式または液圧式のリフト補助装置を備える。
【００２３】
枠組立品はベース部を備え、ベース部はそこから延びる鉛直荷重支持具を有し、鉛直荷重支持具はリンクアームに回動可能に結合されており、リンクアームもまたルーフ支持具および変移アームに回動可能に結合されている。ベース部は実用／キャンパートレーラーのトレーラー荷台の内側とほぼ同じ大きさである。さらに、テント組立品は当技術分野でよく知られているようなテントカバーを備えており、それによって空間の内側（interior）と容積が規定され、テントの囲いが提供される。テントカバーは枠組立品に着脱可能に結合する複数の延長ステーによって支持され、複数の延長ステーおよび枠組立品がテント組立品の主支持構造物を構成する。
【００２４】
テント組立品は、睡眠機能位置において実用／キャンパートレーラーと共に機能するように設けられている。形態可変パネル部材は、人が眠ることのできる睡眠用領域を提供する。また、トレーラーのトレーラー荷台は座席および作業のための領域を提供する。そこにはテーブルなどの品物が置かれてもよい。
【００２５】
本発明のテント組立品は、テントカバーおよび延長ステーの付いた完全に組み立てられた状態であっても、あるいはそうでなくても、畳めるように設計されている。テント組立品は、全体を畳むことができ、袋や袋状の入れ物に収納して保護したり簡単に持ち運んだりすることができるのである。テント組立品を設営するには、実用／キャンパートレーラーのトレーラー荷台にテント組立品を据え付けセットし、保護袋からテント組立品を取り出し、形態可変パネル部材を睡眠機能位置に変移させ、そしてテント組立品の部品の１つを引き上げて、収納された畳み位置からテント組立品を立てるだけでよい。付勢手段がテント組立品の引き上げを容易にする。このように、本発明のトレーラーは、ほとんど手間をかけずに実用型トレーラーから睡眠用あるいはキャンプ用トレーラーへと切り替えることができる。いったん所定の形態になったら、テント組立品をロックする手段を作動させることによってテント組立品が所定の形態にロックされて、テント組立品の不注意な、あるいは意図的でない畳み込みが防止されてもよい。テント組立品は、トレーラー荷台を覆うと共に、実用／牽引トレーラーによって設けられた第一および第二の睡眠用位置も覆って、テントの囲いと睡眠用領域を提供する。
【００２６】
テント組立品を引き下ろすには、ユーザは、単にロックするための手段を解除して、テントを完全に組み立てられたまま折り畳む。テントはそこで保護袋あるいは袋状のカバーに再び収納されてもよい。そしてテント組立品は、しまい込まれたテント組立品を単に取り外すことによって、トレーラーから取り外されてもよい。
【００２７】
ここで、本発明は、上述したトラック荷台枠と共に利用されるテント組立品をも企図しているということに留意されたい。特にこの実施の形態のためのテント組立品は、上述した枠組立品および好ましい実施の形態の枠組立品と同じように機能するが、その大きさおよび形状は、トレーラーではなくトラックの設計に対応するように決定されることになる。
【００２８】
本発明はさらに、テーブル組立品を特徴とする。テーブル組立品は枠組立品に着脱可能かつ回動可能に結合されており、テント組立品が畳み込まれている間も、取り付けられた状態を保つことができる。テーブル組立品は独特な設計を備えており、ユーザがテーブル組立品を立てたり倒したりするのを補助するためのリフト補助装置が装備されていてもよい。テーブル組立品もまた、着脱可能なテント組立品用保護袋に収納することができる。
【００２９】
図面の簡単な説明
本発明の前述および他の特徴は、添付の図面と共に取り上げられた以下の記述および付記された請求の範囲から、より完全に明らかとなるであろう。これらの図面は本発明の典型的な実施の形態のみを描写するものであり、従って本発明の範囲を限定するものとは見なされないものであることを理解しつつ、添付の図面を用いてさらに具体的かつ詳細に本発明を記述し、説明する。
【発明を実施するための最良の形態】
【００３０】
好ましい実施の形態の詳細な説明
本明細書において全体として述べられ図で説明された本発明の構成要素が広範な異なる形態に構成され設計され得ることは、容易に理解されるであろう。従って、本発明のシステムおよび方法の実施の形態がさらに詳細に述べられ、図１から２１までにおいて表現された以下の説明は、請求の範囲に記載された本発明の範囲を限定することを意図されたものではなく、単に本発明の現在好ましい実施の形態を代表するだけのものである。
【００３１】
本発明の現在好ましい実施の形態は、図面を参照することにより最もよく理解されるであろう。図面では、全体を通して同様の部品が同様の番号で示されている。
【００３２】
本発明は、独特なテント組立品を取り付けることのできる独特な実用／キャンパートレーラーを提供することによって、実用型やキャンパー型のトレーラーのような複数種類の牽引トレーラーの有益な機能を組み合わせて、単一かつ一体化された実用／キャンパートレーラーにするための方法およびシステムを記述している。実用／キャンパートレーラーおよびテント組立品の両者が、独特な組み合わせおよびコンセプトを構成する。具体的には、本発明は、単独の実用型トレーラーとキャンプ用トレーラーとの利益および利点を組み合わせて単一かつ一体化された実用／キャンパートレーラーとし、一方で、実用／キャンパートレーラーと共に用いるかあるいはそれと一体化された独特なテント組立品、好ましくは着脱可能なテント組立品を提供する。さらに、本発明のテント組立品の独特なコンセプトはいくつかの多様な形態および設計を備えることが企図されており、それにより、テント組立品は、他の実用トレーラーおよび／または実用車に適合してそれらと共に機能することができるようになっている。以下、実用／キャンパートレーラーおよびテント組立品の両者の詳細を、それぞれ順に論じる。
【００３３】
実用／キャンパートレーラー組立品
【００３４】
図１および２を参照すると、第一の実用機能形態における実用／キャンパートレーラー１０が描かれている。実用／キャンパートレーラー１０は、第二の側壁支持具２４と互いに対向する相補的な関係にずらして置かれた第一の側壁支持具２０を備えており、第一および第二の側壁支持具がトレーラー１０の側壁を構成する。トレーラー１０は前壁支持具２８と任意の後壁支持具３２（図示せず）とをさらに備え、これらもまた互いに対向する相補的な関係にずらして置かれて、外周を形成かつ規定しており、床３６との関係によってトレーラー荷台１４を構成し、その上部は開放されていて、その内側１６に荷を積むことができる。第一および第二の側壁支持具２０および２４ならびに前および後壁支持具２８および３２が、床３６に好ましくは固定式に結合されて、トレーラー１０、具体的にはトレーラー荷台１４に横方向の支えを提供し、その内側に荷を積んで収容することができるようになっている。さらに、第一および第二の側壁２０および２４ならびに前および後壁支持具２８および３２は、床３６の外周部からそれぞれ上方へ実質的に垂直となるように伸びている。
【００３５】
先に述べたように、トレーラー荷台１４は内側部あるいは収納領域１６を備えており、内側部あるいは収納領域１６は第一および第二の側壁支持具２０および２４ならびに前および後壁支持具２８および３２によって形成された外周によって規定される。トレーラー１０、具体的にはトレーラー荷台１４の形態あるいは構成は、好ましくは、上述した開放型の箱形構成を備える。しかしながら、当業者であれば、本明細書に記述され論じられたコンセプトおよび設計が使用され得る他の形態および構成を認めるであろう。
【００３６】
図１および２に描かれた第一実用機能形態において、実用／キャンパートレーラー１０は、第一の形態可変パネル部材５６および第二の形態可変パネル部材６０をさらに備え、第一の形態可変パネル部材５６および第二の形態可変パネル部材６０は、それぞれ第一および第二の側壁支持具２０および２４に取り付けられあるいは結合されていて、それぞれ第一および第二の実用面７２および８０を設けるように配置されている。具体的には、第一および第二の形態可変パネル部材５６および６０が、第一および第二の側壁支持具２０および２４の最上部から実質的に垂直となるように内側に延びている。第一および第二の形態可変パネル部材５６および６０は、この第一の実用機能位置にあるときは、それぞれ側壁支持具２０および２４の上に停止してそれらによって支持され、同様に前壁支持具２８および任意の後壁支持具３２によっても支持される。側壁支持具２０および２４の外周最上部あるいは表面ならびに前壁支持具２８の外周最上部および任意で後壁支持具３２の外周最上部は、第一および第二の形態可変パネル部材５６および６０を受けるように働き、また第一および第二の形態可変パネル部材５６および６０に必要な支えを提供できるよう十分な強度を有しており、これらは荷重支え部材として設計されている。側壁支持具２０および２４は、前壁支持具２８と共に、第一および第二の形態可変パネル部材５６および６０のための主たる第一の支持手段を提供する。
【００３７】
付加的な支えが必要になることがあるため、本発明は任意で中央支持部材６８を備える。中央支持部材６８は、トレーラー荷台１４内の中央に置かれてよく、そして、パネル部材５６および６０をその最も延びた先の縁に沿って支持することによって第一および第二の形態可変パネル部材５６および６０に付加的な支えを与えるように設けられてよい。これについては図７でより詳しく説明されている。
【００３８】
第一および第二の形態可変パネル部材５６および６０は、固定組立物９２によって所定の位置に固定されてもよい。固定組立物９２は、掛け金式、ねじ止め式、または施錠式などの、パネル部材５６および６０を図示された位置に固定できる何らかの知られた種類の手段を備えてもよい。
【００３９】
第一および第二の形態可変パネル部材５６および６０は、好ましくは、高張力鋼（high yield steel）か、またはさまざまな木および鋼を要素とする複合材で作られる。詳細な構造は限定されるものではないものの、パネル部材５６および６０の詳細な構造および材料の構成は、トレーラー１０がその所期の目的に使用できるだけの十分な強度特性を持っていなければならないということに留意されたい。
【００４０】
図１〜６はさらに、第一および第二の形態可変パネル部材５６および６０を保持する手段を示している。この手段の所期の機能を行うのに役立ち得る組立品や装置はいくつか存在するが、図１および２に示された実施の形態では、パネル部材５６および６０を保持するための手段は保持システム１００を備え、保持システム１００は、保持レール１０４と、トレーラー１０のパネル部材５６および６０の上面から離れた位置に保持レール１０４を支持する一連の延長部１０８とを備える。保持システム１００はいくつかの機能を提供するが、特に、以下に述べるような睡眠機能位置においてパネル部材５６および６０に支えを提供するために含まれている。保持システム１００はまた、図１に示すように、第一の実用機能位置にあるときに、パネル部材５６および６０の上に載せられて運ばれている荷に横方向の支えを提供してもよい。
【００４１】
図１および２はさらに、第一および第二の形態可変パネル部材５６および６０を位置変更するための手段（位置変更のための手段６４として図示）を示す。位置変更のための手段６４は、第一および第二の形態可変パネル部材５６および６０に少なくとも部分的な支えを提供することができ、またパネル部材５６および６０を異なる位置へ位置変更するのを容易にすることができる。このパネル部材５６および６０の位置変更能力こそ、トレーラー１０が、コンセプトが統合された単一のトレーラーにおいて１以上の実用機能形態または睡眠機能形態のような複数の機能形態を備えることを可能にしているものである。図示したように、パネル部材５６および６０はヒンジシステムを利用しており、ヒンジシステムは、第一の形態可変パネル部材５６を第一の側壁支持具２０に結合し、第二の形態可変パネル部材６０を第二の側壁支持具２４に結合している。ヒンジシステムによって、パネル部材５６および６０は、第一の実用機能位置と第二の実用機能位置と睡眠機能位置との間を、単にパネル部材５６および６０をヒンジシステムの中心に設けられた回転軸の周りに回動させるだけで、位置変更されることができる。位置変更のための手段６４はさらに、パネル部材５６および６０に支えを提供して、所期の各停止位置においてだけでなく位置変更中においても適切な位置および配置を確保している。
【００４２】
図１および２の第一の実用機能形態は、さまざまな種類の荷や積み荷を載せて支え得る、丈夫で強い実用面（７２および８０）を提供する。図示されているのは、傾斜路１１６を用いてあるいは用いずに実用面７２および８０に置かれたＡＴＶ８８である。保持レール１０４は、パネル部材５６および６０の上に収納されたあらゆる積み荷に付加的な横方向の支えを提供するために用いられてもよい。傾斜路１１６も図示されているが、これは当技術分野において一般に知られた方法でトレーラー１０に着脱可能に結合されてもよい。荷を収納して支えるための面を提供することに加えて、パネル部材５６および６０がこの第一の実用機能形態にあるときは、トレーラー１０は、さまざまな積み荷や他の用具などを運搬のために収納し得る密閉収納領域１６を提供する。
【００４３】
次に図３および４を参照すると、第二の実用機能位置あるいは形態が図示されている。この形態において、実用／キャンパートレーラー１０は、トレーラー１０およびトレーラー荷台１４に関して図１および２に示された実施の形態で述べられたのと同じ特徴および構成要素を備える。さらに、第二の実用機能形態において、トレーラー１０はさらにまた、上述したように、第一の形態可変パネル部材５６および第二の形態可変パネル部材６０を備え、それぞれがそれぞれ第一および第二の側壁支持具２０および２４に取り付けられあるいは結合されている。しかしながら、実質的に垂直に内側へ伸展して実用面を形成するかわりに、パネル部材５６および６０はそれぞれ、第一および第二の側壁支持具２０および２４へ実質的に鉛直な延長部を提供するように配置される。具体的には、第一および第二の形態可変パネル部材５６および６０が、第一および第二の側壁支持具２０および２４の最上部から実質的に鉛直となるように伸展して、固定機構９６によって所定の位置に支持される。この形態において、トレーラー１０は、増加した内側収納領域１６を備える。パネル部材５６および６０を位置変更して、増加した内側１６を設けることは、多くの重要な利点を提供してくれる。その１つは、内側１６内に置き得る積み荷の大きさおよび／または量が著しく増えることである。この位置において、パネル部材５６および６０は、トレーラー１０、特にトレーラー荷台１４に横方向の付加的な積み荷支えを提供するように働く。さらに、固定手段９６は、所定の位置にパネル部材を固定して、伸展されたパネル部材５６および６０に比較的高いモーメントまたは力を直接かけられるようにすることができる。これにより、この第二の実用機能形態において、内側１６で運ばれパネル部材５６および６０に力またはモーメントを作用させるあらゆる荷が、適切に支持される。
【００４４】
従来技術によるトレーラーは、それぞれの内側収納領域を増やすための延長された側壁支持具を備える場合があるが、それに対して本発明のトレーラー１０は、パネル部材５６および６０を別の形態の位置あるいは設定から位置変更することによって、例えば上述したようにパネル部材５６および６０を第一の実用機能形態から位置変更することによって、内側収納領域を増やすことができる。これは有利である。なぜなら、ユーザが、図１および２に示されたような実用面を有する実用トレーラーとしてトレーラー１０を機能させたいと欲する場合もあれば、より広くて容積の大きな内側載荷空間を有するトレーラーを急に欲する場合もあるからである。本明細書に教示され記述された切り替えコンセプトあるいは位置変更コンセプトを用いて、ユーザはほとんど手間をかけずにトレーラー１０をすばやくこの両方の望みに対応できるように切り替えてよい。以下に示すように、トレーラー１０は、第一の実用機能形態と第二の実用機能形態と睡眠機能形態との間を、ただ単にそれぞれの形態を提供するための位置に第一および第二の形態可変パネル部材５６および６０を位置変更あるいは形態変更するだけで、自在に切り替わってよい。
【００４５】
次に図５および６を参照すると、睡眠機能位置あるいは形態が図示されている。この形態において、実用／キャンパートレーラー１０は、トレーラー１０およびトレーラー荷台１４に関して図１および２に示された実施の形態で述べられたのと同じ特徴および構成要素を備える。さらに、この睡眠機能形態において、トレーラー１０はさらにまた、上述したように、第一の形態可変パネル部材５６および第二の形態可変パネル部材６０を備え、それぞれがそれぞれ第一および第二の側壁支持具２０および２４に取り付けられあるいは結合されている。しかしながら、実質的に垂直に内側へ伸展して実用面を形成するかわりに、あるいはまた、実質的に鉛直となるように伸展して、増加した内側収納領域を形成するかわりに、パネル部材５６および６０は、それぞれが実質的に水平な位置に配置され、それぞれ第一および第二の側壁支持具２０および２４の最上部から外側に延びており、パネル部材５６および６０が外周の外にある状態となっている。この睡眠機能位置あるいは形態において、第一の形態可変パネル部材５６は第一の睡眠用領域１７２を規定し、第二の形態可変パネル部材６０は第二の睡眠用領域１７６を規定する。
【００４６】
図５および６は、テント組立品２１０も示す。テント組立品２１０の部品の詳細は後に論じるが、図５および６を用いて論じることとしては、テント組立品２１０は、トレーラー荷台１４の内側部１６内に付いて適合し、第一および第二の形態可変パネル部材５６および６０を睡眠機能位置へ位置変更する際に所定の位置へ立ち上がるように設計されている。テント組立品２１０は枠組立品２１４を備え、枠組立品２１４は、好ましくは、「設営」位置へと立ち上がることのできる複数の付勢されたあるいは荷重をかけられた部材（図示しないが、後に論じる）を備えており、この「設営」位置がテント組立品２１０の境界範囲を規定する。さらに、テント組立品２１０は、枠組立品２１４に取り付けられたテントカバー４４０をさらに備える。枠組立品２１４およびテントカバー４４０は、トレーラー１０が睡眠機能位置へ切り替えられた時には完全設営位置へと立ち上がる一方で、トレーラー１０の運搬中およびトレーラー１０が第一の実用機能位置にある時には内側１６内に収納することができる。
【００４７】
テントカバー４４０は、第一および第二の睡眠用領域１７２および１７６とトレーラー１０の内側１６とを囲むように設計されている。このように、カバー４４０は完全に囲まれた睡眠用領域を提供しており、ユーザはそこへ入って外界環境から保護されてよい。カバー４４０は、好ましくは、枠組立品２１４およびトレーラー１０の種々の部品に着脱可能に結合されるように設計される。例えば、カバー４４０は、留め金やベルクロなどの、当技術分野で知られた入手可能なさまざまな種類の複数の締結手段を用いてトレーラー１０に付いてもよい。カバー４４０は、ジッパー４４８で閉じられた入口開口部４４６を有する入口組立品４４４をさらに備えてもよい。ユーザは階段１６８を用いて開口部４４６および囲まれた睡眠用領域に入ってもよく、階段１６８は、トレーラー１０に着脱可能に結合されてもよく、使用しない時は内側１６に収納されてもよい。テント組立品２１０は、容易に設営されるよう設計され、実用／キャンパートレーラー１０に合うように構成される。テント組立品２１０は、取り外しの際、単に引き下ろされトレーラー１０から解除されてトレーラー１０の内側収納領域１６に収納され、パネル部材５６および６０は、位置変更のための手段６４を用いてパネル部材５６および６０を配置変更することによって、第一または第二の実用機能形態（図６では隠れ線で示す）へ位置変更される。
【００４８】
第一および第二の睡眠用領域１７２および１７６は、それぞれ第一および第二の睡眠用面７６および８４をさらに備える。第一および第二の睡眠用面７６および８４は、表面を柔らかくしてパネル部材５６および６０を人が長時間過ごすのにより適するようにする、何らかの種類のパッドなどの素材を備えてもよい。
【００４９】
トレーラー１０を実用機能形態の１つから睡眠機能形態へ図５および６に示すように切り替えるには、位置変更のための手段６４を作動させることにより単に第一および第二の形態可変パネル部材５６および６０を位置変更するだけである。好ましい実施の形態において、位置変更のための手段６４は上述のようなヒンジ組立品を備え、それによってユーザは、パネル部材５６および６０が図示のように所望の位置に至るまで、（矢印で図示されているように）パネル部材５６および６０をヒンジ軸の周りに簡単に回動させることができる。
【００５０】
保持組立品１００は、この睡眠機能位置においてパネル部材５６および６０に必要な支えを提供するために用いられる。具体的には、パネル部材５６および６０が睡眠機能位置へと回転あるいは位置変更される際に、保持組立品１００、特に保持レール１０４および延長部１０８は、それぞれ第一および第二の側壁支持具２０および２４（または壁支持具２０および２４内の１以上の支柱）の外側の面と接触させられる。保持レール１０４は、延長部１０８を用いて、パネル部材５６および６０からある計算された距離だけずれた位置にあり、保持システム１００が、その水平に延びた位置でパネル部材５６および６０を支持できるモーメントアームとして機能するようになっている。別の言い方をすれば、保持システム１００は、保持システム１００で用いられている材料に固有の強度と、保持レール１０４のパネル部材５６および６０からのオフセット距離とによって、特にパネル部材５６および６０に人のような負荷がかけられた際に、位置変更のための手段６４のヒンジ部の中心軸に沿って設けられた回転軸の周りをパネル部材５６および６０がさらに回転しようとすることに抵抗するのである。このように、保持システム１００と側壁支持具２０および２４との間の接触および関係が、十分な支えを提供し、保持システム１００にかかる回転力に抵抗する。
【００５１】
図７を参照すると、第一および第二の形態可変パネル部材５６および６０を睡眠機能位置に保持するための手段の代替実施形態が示されている。具体的には、パネル部材５６および６０を保持するための手段は、一連の突っ張り支持具１２０を備える。ここでもまた、睡眠機能位置において、パネル部材５６および６０は側壁支持具２０および２４から実質的に垂直となるように伸展している。そして、この位置において形態可変パネル部材５６および６０は載荷部材であると意図されているので、突っ張り支持具１２０が設けられている。突っ張り支持具１２０は、図示のように、パネル部材５６および６０のそれぞれとトレーラー１０との間に延びるように設計されている。これによって、パネル部材５６および６０は、負荷を適切に載せて支えることができる。特にこの実施の形態において、パネル部材５６および６０が載せて支えるものとして意図されている荷は、第一および第二の睡眠用領域１７２および１７６で睡眠をとろうとしている人間である。そのため、突っ張り支持具１２０は、パネル部材５６および６０のそれぞれとトレーラー１０との間に付いて適合するように設計され、それによって第一および第二の形態可変パネル部材５６および６０を睡眠機能位置で安定させ支持する支柱のように機能する。突っ張り支持具１２０は第一の端１２４を備え、第一の端１２４は、パネル部材５６および６０の下面つまり外側の露出面に設けられた形態可変パネル部材付属部品１３２に着脱可能に結合されている。突っ張り支持具１２０はさらに第二の端１２８を備え、第二の端１２８はトレーラー付属部品１３６と着脱可能に結合されており、トレーラー付属部品１３６はトレーラー１０の外側に設けられ、好ましくはトレーラー１０または側壁支持具２０および２４の枠部分の外側に設けられている。
【００５２】
図８および９に示される他の代替実施形態において、位置変更手段６４は、経路組立品あるいは溝組立品１９０を備え、経路（チャネル）１９４が第一および第二の側壁支持具２０および２４のそれぞれの上部からそれらに沿って伸びている。経路１９４は第一および第二の形態可変パネル部材５６および６０と結合することができ、それによって形態可変パネル部材が上述のような第一の実用機能位置と睡眠機能位置との間を双方向に滑動できるようになっている。経路組立品１９０は、第一および第二の形態可変パネル部材５６および６０をそれぞれの位置に固定するための固定組立品１９８をさらに備える。さらに、経路組立品１９０は、トレーラー１０が上述のような第二の実用機能形態もできるように、第一および第二の形態可変パネル部材５６および６０が位置変更され得るよう構成されてよい。
【００５３】
代替実施形態において、本発明は、上に詳述したような第一および第二の形態可変パネル部材だけのほかに、実用／キャンパートレーラーで複数の形態可変パネル部材を利用することも企図している。例えば、４分割収納のトレーラーにおいて第一、第二、第三、および第四の形態可変パネル部材が用いられてもよく、その場合はそれらの部材の２つずつがトレーラーの両側に配置される。この実施の形態において、希望に応じて、ユーザが例えばトレーラーを実用目的でもテント組立品と共にでも使用できるように、いくつかの形態可変パネル部材が他の部材とは異なる位置に置かれてもよい。要するに、本発明は第一および第二の形態可変パネル部材の組み合わせに限定されないということであり、必要や希望に応じていくつかの形態可変パネル部材を利用してもよいということである。いくつかのあり得る形態や組み合わせについては、当業者には明白かつ明らかであろう。
【００５４】
さらに、本発明の実用／キャンパー兼用トレーラーは、さまざまな大きさおよびさまざまな形状で製造されてもよい。好ましい実施の形態の実用／キャンパートレーラーは、本明細書において図面に示され記述された通りである。しかしながら、本発明は、バギーや四輪車などのＡＴＶの後ろに牽引するよう特に作られた、好ましい実施の形態のトレーラーの小型版のような他の設計も企図している。これらも当業者には明白かつ明らかであろう。
【００５５】
最後に、本発明は、フルサイズトラックやより小型のピックアップトラックなど、任意の大きさのトラックの荷台内に着脱可能に取り付けられるトラック荷台枠組立品を特徴対象とする。トラック荷台枠組立品は、上述したものと同様に機能するベース部と、側壁支持具と、前および後壁支持具と、２以上の形態可変パネル部材とを備えるという点において、実用／キャンパートレーラーと同様に機能するように設計されている。特にこの実施の形態において、トラック荷台枠組立品は、トラック内部の荷台内に置かれる。枠組立品は、トラック荷台の車輪収納部同士の間に、または車輪収納部にまたがって付くように製造されてもよく、枠組立品はＴ字形でもよい。いずれにしても、トラック荷台枠組立品はトラックの荷台内に置かれてよく、また形態可変パネル部材は上述の位置のうちのいずれにあってもよい。具体的には、トラック荷台枠の形態可変パネル部材は、第一または第二の実用機能位置に置かれてよいし、あるいは睡眠機能位置に置かれて本明細書に記述され示されたようなテント組立品を支持してよい。
【００５６】
実用／実用／キャンパートレーラーのためのテント組立品
【００５７】
本発明のテント組立品は、当技術分野で知られていたり上述されたりしたような、いくつかの設計、形態、システム、および組立品を備えてもよいが、以下の図面は、本発明の利点の多くを明らかにすることを意図した１つの例示的な実施の形態を図示し記述するものである。
【００５８】
図５〜９に戻って参照すると、先に述べたように、トレーラー１０は、睡眠機能形態においてテント組立品２１０を取り付けるように構成されてもよい。この形態において、トレーラー１０はキャンパーまたはテントトレーラーと同様に機能するように働く。ただし、さまざまな積み荷や道具または用具を運ぶのに１台、睡眠用領域を設けるためにもう１台というように２台以上のトレーラーが必要となるのではなく、本発明の実用／キャンパートレーラーは、両方の所期の機能を果たす。例えば、内側収納領域１６に道具や他の用具を詰めてから、第一および第二の形態可変パネル部材を上述のような第一の実用機能形態に位置変更してもよく、その上には、ＡＴＶ等の他のさまざまな荷を置いてもよい。さらに、後にトレーラー１０が睡眠機能形態に位置変更された時にトレーラー１０に合わせるのに備えて、テント組立品２１０を内側収納領域１６内に収納してもよい。
【００５９】
図５〜９の睡眠機能形態において、トレーラー１０はテント組立品２１０を備えるように構成されてもよい。テント組立品２１０は、限定されるものとは意図されておらず、トレーラー１０および第一および第二の形態可変パネル部材５６および６０に着脱可能に結合されることができるどんな種類のテントでも備えてよい。しかしながら、本発明は、トレーラー１０内に付いて−トレーラー１０と共に機能することのできる独特なテント組立品を企図し、備える。
【００６０】
図１０〜１２を参照すると、本発明のテント組立品は、畳み込んでテント組立品の容易な収納および運搬を提供することのできる主支持構造物２１２を備える。主支持構造物２１２自体は、枠組立品２１４と、複数の延長ステー（図示せず）とを備える。枠組立品２１４はベース部２１８を備え、ベース部２１８は、第一の縦支持部材２２２および第二の縦支持部材２２６と、それと接合した第一の横支持部材２３０および第二の横支持部材２３４とを有していて、枠組立品２１４の主たる耐荷重部として働くように設計された２次元的な支持具すなわちベース部２１８を形成する。枠組立品２１４、特にベース部２１８は、テント組立品２１０にかかる水平および鉛直方向の荷重とねじり荷重とに耐えるように設計されている。示された実施の形態において、ベース部２１８は、上述のような実用牽引トレーラーのトレーラー荷台の内側にフィットできる、実質的に長方形の幾何学形状を有する。ベース部２１８の大きさあるいは寸法は、実用牽引トレーラー内で完全に組み立てられた設営位置においてテント組立品２１０の内側空間を最大化できるように、実用牽引トレーラーのトレーラー荷台の内側部分のそれよりわずかに小さくなっていることが好ましい。ベース部２１８は横取付支持具２３８をさらに備え、横取付支持具２３８は、第一および第二の縦支持部材２２２および２２６の間にかかっていて、テント組立品２１０内で使われるさまざまな付属品を取り付けられるように設計されている。ある実施の形態においては、横取付支持具２３８はテーブル組立品を取り付けるのに用いられる。これについてはさらに後に述べる。
【００６１】
枠組立品２１４は、それぞれ第一の横支持部材２３０および第二の横支持部材２３４の中央部に結合された第一のベース取付部２４２および第二のベース取付部２４６をさらに備える。第一および第二のベース取付部２４２および２４６はそれぞれ、第一および第二の横支持部材２３０および２３４から上方向へ延び、第一の鉛直荷重支持具２５０および第二の鉛直荷重支持具２５４を取り付けられるように設計されている。第一の鉛直荷重支持具２５０は回動点２５８において第一のベース取付部２４２に回動可能に付き、回動点２５８は、第一の鉛直荷重支持具２５０を第一のベース取付部２４２に回動可能に結合するための手段を備えており、第一のベース取付部２４２は、第一の鉛直荷重支持具２５０と第一のベース取付部２４２とが互いに回動できるようにすることのできる、当技術分野でよく知られたどんな装置または組立品でも備えてよい。本実施の形態においては、回動可能に結合するための手段は、第一の鉛直荷重支持具２５０と第一のベース取付部２４２とを係合することのできるピン接続具を備える。同様に、第二の鉛直荷重支持具２５４は、回動点２６２を介して第二のベース取付部２４６に回動可能に結合しており、回動点２６２もまた、上述のような回動のための手段を備える。
【００６２】
枠組立品２１４は第一のリンクアーム２７４および第二のリンクアーム２７８をさらに備え、それぞれがそれぞれ第一の鉛直荷重支持具２５０および第二の鉛直荷重支持具２５４に結合されている。第一および第二のリンクアーム２７４および２７８が、それぞれ第一および第二の結合部材２６６および２７０を用いて、第一および第二の鉛直荷重支持具２５０および２５４と接合されている。第一および第二の結合部材２６６および２７０は、第一および第二の鉛直荷重支持具２５０および２５４の上部に固定式に付けられあるいは固定されている。第一および第二の結合部材２６６および２７０はそれぞれ回動点２７１および２７３をさらに備えており、これにより第一および第二のリンクアーム２７４および２７８が第一および第二の鉛直荷重支持具２５０および２５４に関して回動できる。第一および第二の鉛直荷重支持具２５０および２５４はベース部２１８から実質的に鉛直となるように延びているが、第一および第二のリンクアーム２７４および２７８は、第一および第二の結合部材２６６および２７０から、図１０に示されるように特定可能な鋭角に延びている。第一および第二のリンクアーム２７４および２７８に付けられあるいは結合されているのは、実質的に水平となるように延びるルーフ支持具２８２である。ルーフ支持具２８２も、それぞれ第一および第二のリンク回動延長部２８６および２９０を用いて、第一および第二のリンクアーム２７４および２７８に回動可能に結合されている。第一および第二のリンク回動延長部２８６および２９０はそれぞれが回動点２９４および２９８を備えており、これにより第一および第二のリンクアーム２７４および２７８がルーフ支持具２８２に関して回動できる。ルーフ支持具２８２は、実質的にテント組立品２１０の全長にわたっており、テント組立品２１０の上部、特に主支持構造物２１２を囲うために用いられてテント組立品２１０の内側部分あるいは空間容積を規定する器具カバーを、支持するために用いられる。
【００６３】
ルーフ支持具２８２は、ルーフ支持具２８２の対向する端に配置された第一の変移アーム係合部材３１０および第二の変移アーム係合部材３１４をさらに備える。第一および第二の変移アーム係合部材３１０および３１４は、それぞれ第一の変移アーム３０２および第二の変移アーム３０６を受けるように構成される。第一および第二の変移アーム３０２および３０６は、それぞれ第一および第二のリンクアーム２７４および２７８に回動可能に結合しており、枠組立品２１４が図１２に示されるような畳み込まれた収納位置から図１０に示される完全に組み立てられた設営位置へと移行する際に、第一および第二の変移アーム係合部材３１０および３１４の中を滑動する。第一および第二の変移アーム３０２および３０６は、端部にステー受け４１０をさらに備え、その反対側では、第一および第二の変移アーム３０２および３０４が第一および第二のリンクアーム２７４および２７８に回動可能に結合している。ステー受け４１０は、テントカバーに上向き横方向の支えを提供するように設計された１以上の延長ステーを受けるように構成される。延長ステーについては後にさらに詳しく述べる。
【００６４】
先に述べたように、枠組立品２１４は、図１２に示されるように上述の各構成部品が畳み込めるように設計されている。さらに、枠組立品２１４は、収納された畳み込み位置から、図１０に示されるような、立ち上がって完全に組み立てられた位置へと移行するように設計されているので、枠組立品２１４は、枠組立品２１４の設営を容易にするための手段をさらに備える。具体的には、枠組立品２１４の設営を容易にする手段は、第一、第二、第三、および第四のリフト補助装置３４２、３４６、３６６、および３７０として示される一連のリフト補助装置を備える。リフト補助装置は枠組立品２１４の主な構成部品に回動可能に取り付けられあるいは結合されており、これによって、枠組立品２１４が複数の付勢された構成部品を備えることとなっている。図１０に示された実施の形態において、第一のリフト補助装置３４２は、図１０に示されるように、回動点３７８においてベース部２１８に、そして回動点３７４において第一の鉛直荷重支持具２５０に、回動可能に取り付けられている。また、第二のリフト補助装置３４６は、回動点３８６においてベース部２１８に、そして回動点３８２において第二の鉛直荷重支持具２５４に、回動可能に取り付けられている。同様に、第三のリフト補助装置３６６は、回動点３５４において第一のリンクアーム２７４に、回動点３５０においてルーフ支持具２８２に、回動可能に取り付けられ、第四のリフト補助装置３７０は、回動点３６２において第二のリンクアーム２７８に、回動点３５８においてルーフ支持具２８２に、回動可能に取り付けられている。第一、第二、第三、および第四のリフト補助装置３４２、３４６、３６６、および３７０のそれぞれは、枠組立品２１４の設営を助けるように機能し、特に収納された畳み込み位置から完全に組み立てられた設営位置へと移行する際に、枠組立品２１４を補助するように機能する。本明細書において各図面に示された実施の形態において、第一、第二、第三、および第四のリフト補助装置３４２、３４６、３６６、および３７０は、気圧または液圧ピストンシリンダもしくはラムまたは当技術分野でよく知られた同様のリフト装置を備える。機能する時、これらのリフト装置のそれぞれは、計算された付勢力を枠組立品２１４の各構成部品へ与えることによって、ユーザがテント組立品２１０を完全設営位置へと変移させるのを補助する。要するに、これらのリフト補助装置は、テント組立品２１０を構成する各構成要素を持ち上げるのに必要な仕事の多くを提供する。各リフト補助装置は、テント組立品２１０の全体が初めユーザによって畳み込み位置から持ち上げられるのに応じて作動させられる。持ち上げ過程の開始後、各リフト補助装置は、テントを完全に組み立てられた設営位置へと引き上げるのを助ける。これらのリフト補助装置は、テント組立品２１０が設営位置から畳み込み位置へと変移する際にも、荷重またはテント組立品２１０の重量の多くを緩和しあるいは支え、テント組立品２１０が崩れ落ちずに滑らかに収納された畳み込み位置まで下げられ得るようにすることによって、テント組立品２１０に支えを提供する。
【００６５】
図１０の各矢印から分かるように、枠組立品２１４および各主構成部品は、上述のように畳み込むように設計されている。具体的には、図１１に、畳み込まれた収納位置と完全に組み立てられた設営位置との間の中間状態にある枠組立品２１４を示す。図１１は、第一および第二の鉛直支持部材２５０および２５４、第一および第二のリンクアーム２７４および２７８、第一および第二の変移アーム３０２および３０６、ならびにルーフ支持具２８２のそれぞれが、ベース部２１８に対して折り畳まれる、あるいは畳み込まれる方向を示す。具体的には、図１１は、第一および第二の鉛直荷重支持具２５０および２５４がベース部２１８に向かって内側下向きに回動する様子を示し、一方、第一および第二のリンクアーム２７４および２７８はルーフ支持具２８２に向かって内側上向きに回動する。さらに、第一および第二の変移アーム３０２および３０６は、それぞれ第一および第二の変移アーム係合部材３１０および３１４の中を滑動しながらルーフ支持具２８２に向かって上向きに回動する。
【００６６】
図１２を参照すると、枠組立品２１４が完全に畳み込まれた収納位置にある状態が示されており、枠組立品２１４の各構成部品が互いに折り畳まれて枠組立品２１４の低い姿勢の収納位置姿勢を形成するよう、枠組立品２１４の各構成部品が慎重に設計されているのが分かる。見て分かるように、第一および第二の鉛直荷重支持具２５０および２５４はベース部２１８のすぐそばに隣接し、第一および第二の鉛直荷重支持具２５０および２５４のすぐ上には第一および第二の変移アーム３０２および３０６があり、さらに第一および第二のリンクアーム２７４および２７８が続いて、最後にルーフ支持具２８２となっている。特にこの、枠組立品２１４の各構成部品の折り畳みあるいは畳み込みは、インラインと呼んでもよい。インラインとは、各主構成部品が同じ枠の中で互いに折り畳まれ、あるいは畳み込まれることを意味する。このインライン方式の折り畳みあるいは畳み込みは、簡単だが高機能なテント組立品が提供される、という点で著しい利点を提供する。従来技術のテント組立品においては、いくつかの構成部品および支持部材が互いに独立して存在し、それらが共に結合されて組立枠やテント組立品を形成するが、それと違って本発明のテント組立品は、実質的に完全なユニットとして共に機能する構成部品を備える。本発明のテント組立品は、各主構成部品が互いに大いに依存しているという点で従来技術のテント組立品より有利であるばかりでなく、本発明のテント組立品はまた、従来技術のテント組立品より著しく短い時間で設営され、あるいは収納された畳み込み位置から完全に立ち上がった設営位置へと移行することができる。実際、テント組立品２１０は、いったん実用牽引トレーラー１０に置けばほんの数秒で完全に設営することができる。
【００６７】
図１３は、主支持構造物２１２がテントカバー４４０を支持するのに用いられている状態を示す。見て分かるように、テント組立品２１０は、主支持構造物２１２およびテントカバー４４０によって規定される空間の内側あるいは容積を備えるように設計されている。図１３に示される好ましい実施の形態においては、テントカバー４４０はルーフ支持具２８２の両端で主支持構造物２１２に付いており、ルーフ支持具２８２の両端から外側に延びる第一および第二の延長ステー（図示せず）が、テントカバー４４０に必要な上向き横方向の支えを提供する。
【００６８】
図１４を参照すると、第二のリンクアーム２７８、ルーフ支持具２８２、第四のリフト補助装置３７０、および第二の変移アーム３０６を備える枠組立品２１４上部の近接詳細図が示されている。特に図１４は、この枠組立品２１４上部が部分的に畳み込まれた状態を示す。この位置において、テント組立品２１０は、基本的にだらりとした張りのない状態である。ところが、テント組立品２１０、特に主支持構造物２１２がユーザによって所定の場所に持ち上げられると、第二のリンクアームが図１４に示される矢印の向きに回動あるいは回転し、それによって、第二の変移アーム３０６が、ルーフ支持具２８２の端に配置された第二の変移アーム係合部材３１４内を滑動して、続いてテントカバー４４０に上方向外向きの力をかける。こうしてテントカバー４４０には、必要に応じて十分な張力が与えられる。第二の変移アーム３０６は、一方の端が図示のように第二のリンクアーム２７８に結合され、第二の変移アーム３０６の反対側の端は、テントカバー４４０内に設けられた開口４４２を通って延び−て、テントカバー４４０の外側に配置されたステー受け４１０（図示せず）に結合する。
【００６９】
図１４は第四のリフト補助装置３７０も示す。ここでもまた、テント組立品２１０および主支持構造物２１２がユーザによって持ち上げられる際、各リフト補助装置は、主支持構造物２１２を所定の位置に持ち上げるのに必要な仕事をある程度助ける。図１４において、第四のリフト補助装置３７０は、第二のリンクアーム２７８が図示の矢印の向きに回転あるいは回動する際にルーフ支持具２８２を所定の位置へ押すように機能する。図１４に示されたこの独特な形態可変設計によって、テント組立品２１０は、ユーザの最小限の手間だけで、収納された畳み込み状態から完全に組み立てられた設営状態へと速やかに移行される。
【００７０】
図１５Ａおよび１５Ｂは、双方向に滑動できるスライドアーム３９４で構成されるクイックリリース機構３９０を示す。テント組立品２１０の独特な特徴の１つは、畳み込まれた収納位置から完全に組み立てられた設営位置へとほんの数秒で移行できることである。テント組立品２１０が速やかで効率的な設営を実現あるいは提供できるようにする設計の一要素として、テント組立品２１０は、上述のような主構成部品のインライン形態を備える。これら主構成部品のうちの２つが第一および第二の鉛直荷重支持具２５０および２５４であり、この２つは第一および第二のリンクアーム２７４および２７８に回動可能に結合あるいは接合されている。図１５には、第二の鉛直荷重支持具２５４および第二のリンクアーム２７８が第二の結合部材２７０に結合されている状態が示されており、第二のリンクアーム２７８および第二の鉛直荷重支持具２５４は回動点２７３において互いに回動する。畳み込まれた収納位置からテント組立品２１０が持ち上げられるのに応じて、図１０および１１に示されるように、第二の鉛直荷重支持具２５４はベース部２１８から離れるように外向きかつ上向きに回動あるいは回転し、第二のリンクアーム２７８はルーフ支持具２８２から離れるように下向きかつ外向きに回動あるいは回転する。テント組立品２１０が完全に設営された直立位置に近づき、第二の鉛直荷重支持具２５４および第二のリンクアーム２７８が完全に延びた位置になると、これは図１５Ａに示されているが、テント組立品２１０はトグル位置に達し、第二の鉛直荷重支持具２５４および第二のリンクアーム２７８がこのトグル位置を超えて押されて、その時点でテント組立品２１０は、図１５Ｂに示されるように実質的にロックされた位置になる。これと同じことが、テント組立品２１０の反対側にある第一の鉛直荷重支持具２５０および第一のリンクアーム２７４にも起こる。
【００７１】
テント組立品２１０がトグル位置を過ぎて実質的にロックされた位置になると、クイックリリース機構３９０が作動する。この様子も図１５Ｂに示されている。クイックリリース機構３９０、具体的にはスライドアーム３９４は、第二のリンクアーム２７８の下および第二の結合部材２７０の上を双方向に滑動させられ得るように、第二のリンクアーム２７８に結合されている。この位置において、クイックリリース機構３９０は、第二の鉛直荷重支持具２５４および第二のリンクアーム２７８が、回動点２７３の周りを回動して、上で特定し論じたような、テント組立品２１０がロック位置から解除されるトグル位置を超えてしまうのを防止する。さらに、クイックリリース機構３９０は、テント組立品２１０が不注意または不意に解除されないようにする。
【００７２】
テント組立品２１０をロック位置から解除するには、クイックリリース機構３９０、特にスライドアーム３９４は、スライドアーム３９４を上向きに第二のリンクアーム２７８に沿って第二の結合部材２７０を超えるまで滑動させることによって、簡単に作動解除される。クイックリリース機構３９０が解除されたら、第二の鉛直荷重支持具２５４および第二のリンクアーム２７８はトグル位置を超えて回動点２７３の周りを回動あるいは回転させられてよく、テント組立品２１０がその収納位置へと畳み込まれ得るようになる。当業者であれば、テント組立品２１０をそのロック位置にロックするための手段として用いてもよい別の装置または組立品がいくつか存在することを認めるであろう。このように、クイックリリース機構３９０は、単にテント組立品２１０をそのロック位置にロックするための例示的手段として意図されたものであり、どのようにも限定するものとして解釈されるべきものではない。
【００７３】
図１６を参照すると、主支持構造物２１２の斜視図が示されている。具体的には、示されているのは、枠組立品２１４と、第一および第二の変移アーム３０２および３０６に付くステー受け４１０からそれぞれ対向する方向へ外側に伸びる第一の延長ステー４１４および第二の延長ステー４１８とである。第一および第二の延長ステー４１４および４１８はテントカバーに上向き横方向の支えを提供するように機能し、第一および第二の延長ステー４１４および４１８のそれぞれは、十分な支えを提供するためテントカバーの一部に着脱可能に結合されている。好ましい実施の形態において、第一および第二の延長ステー４１４および４１８は、当技術分野でよく知られるように、テントカバーに設けられた１以上の輪状のスリーブに通される。図１６はまた、第一および第二の延長ステー４１４および４１８が蝶番継手４２６を備える様子も示しており、第一および第二の延長ステー４１４および４１８のそれぞれは、それ自体の折り畳みあるいは畳み込みが可能となっている。さらに、さまざまな安全上および美的な目的のため、延長ステー４１４および４１８の各端に端部キャップ４２２が加えられあるいは置かれてもよい。
【００７４】
図１７は、本発明のテント組立品２１０の多機能性を示す。具体的には、図１７は、テント組立品２１０の全体が折り畳まれて実用／牽引トレーラー１０の内側のトレーラー荷台１４内に置かれ得る様子を示す。図１７はまた、テント組立品２１０の畳み込まれた収納位置と完全に組み立てられた直立位置との両方においてテントカバー４４０が主支持構造物２１２に付いたままの状態を保ち得る様子を示す。別の言い方をすると、テント組立品２１０を完全に組み立てられた直立位置から牽引実用トレーラー１０内の収納位置へと変移するためには、テントカバー４４０を取り外す必要がない。この独特な利点はさらに、テント組立品２１０の容易さ、効率、そして素早い設営に寄与する。もう一つの利点は、テント組立品２１０を完全設営位置から畳み込まれた収納位置へと変移させて、テント組立品２１０の全体を、必要に応じて牽引／実用トレーラー１０に入れたりそこから引き出したりし得る袋状の入れ物または運搬用ケースに収納することができるということである。例えば、牽引／実用トレーラー１０は、上述のように実用型として用いられてもよいが、実用／牽引トレーラー１０は、牽引／実用トレーラー１０のトレーラー荷台１４内の袋状の入れ物に入れられたテント組立品２１０を単に配置するだけで睡眠用トレーラーに切り替えられてもよく、テント組立品２１０は、トレーラー荷台１４内に収納されて所望の場所へ運搬されてもよい。必要に応じて、第一および第二の形態可変パネル部材５６および６０が睡眠機能形態まで回転させられてよく、その時点で、テント組立品２１０が袋状の入れ物から取り外されて上述のように設営されてよい。
【００７５】
図１８から２１を参照すると、本発明はさらに、テーブル組立品５００を特徴対象とする。テーブル組立品５００は、テーブル５０４と、第一および第二の脚支持具５０８および５１２とを備え、第一および第二の脚支持具５０８および５１２は、テーブル５０４に回動可能に結合すると共に、テント組立品２１０の枠組立品２１４のベース部２１８の横取付支持具２３８に回動可能に結合している。図１８は、立てられた位置におけるテーブル組立品５００を示しており、第一の鉛直脚支持具２５０にテーブル固定具５３６が備えられ確実に結合されている。またテーブル固定具５３６は、ブラケット５４４と、ピン５４０と、ロック手段５４８（例えば止めピン等）とを備え、そのそれぞれは枠係合手段５２０と係合するのに用いられており、枠係合手段５２０は、図示のようにテーブル５０４に確実に結合されている。枠係合手段は、ブラケット５２４と、１組の延長アーム５２８とを備え、延長アーム５２８は、枠係合手段５２０のピン５４０を受けあるいは取り付けることのできる開口５３２を有する。このように、テーブル５０４は枠組立品２１４の第一の鉛直脚荷重支持具２５０に解放可能に結合される。図１８はまた、第一および第二の脚支持具５０８および５１２が５０４に回動可能に結合され、それによってテーブル５０４が図１９に示されるように下向きに回動できる様子を示している。
【００７６】
図１９を参照すると、第一および第二の脚支持具５０８および５１２が枠組立品２１４の横取付支持具２３８に図示のように回動可能に結合されている。具体的には、横取付支持具２３８は延長部材５５２を備え、延長部材５５２はピン５５６を受けることのできる開口５６０を有する。ピン５５６は、延長部材５５２と第一および第二の脚支持具５０８および５１２とを係合するよう働き、第一および第二の脚支持具５０８および５１２が横取付支持具２３８に関して回動あるいは回転できるようになっている。このように、テーブル５０４は下向きに回動でき、図２０に示されるようにベース部２１８の内側、第一および第二の縦支持部材２２２および２２６の間に休止配置され得る。
【００７７】
図１９はまた、付勢手段５６４を示しており、付勢手段５６４は、第一および第二の脚支持具５０８および５１２に結合する脚係合部５６８を備える。付勢手段５６４の機能は、テーブル５０４が図２０に示されるような始動位置から図１８に示される組立位置へと移行するのが容易となるように、テーブル５０４に持ち上げの支えを提供することである。付勢手段５６４は、テーブル５０４を立てるのを補助できるだけの、計算された力を備える。
【００７８】
図２１は、テーブル組立品５００を示し、特にベース部２１８内の収納位置にあるテーブル５０４を示す。図２１はまた、枠組立品２１４がテーブル組立品５００から妨害や干渉を受けずに畳み込めることを示す。要するに、テーブル組立品５００は、枠２１４に取り付けられたままの状態で、枠組立品２１４の畳み込みおよび収納を妨害したり干渉したりすることなく収納され得るのである。
【００７９】
本発明はさらに、実用／キャンパー兼用トレーラーを実用トレーラーからキャンパートレーラーへ切り替える方法を特徴とする。その方法は、固定床からそれぞれ上方へ延びる第一の側壁支持具と第二の側壁支持具と前壁支持具とによって規定される開放型トレーラー荷台を有する実用／キャンパー兼用トレーラーに第一および第二の形態可変パネル部材を結合し、第一および第二の形態可変パネル部材をそれぞれ第一および第二の側壁支持具に結合するステップと、実用／キャンパー兼用トレーラーを第一の実用機能形態に配置するステップであって、第一の実用機能形態は、第一および第二の形態可変パネル部材がそれぞれ第一および第二の側壁支持具から内側に延びて実質的に水平な位置に配置されることによって規定され、実用／キャンパー兼用トレーラーに載荷面を提供できる第一の実用機能位置に第一および第二の形態可変パネル部材が配置されるステップと、実用／キャンパー兼用トレーラーを第一の実用機能形態から睡眠機能形態へ、第一および第二の形態可変パネル部材を第一の実用機能形態と睡眠機能形態との間で循環的に切り替え可能にする位置変更手段によって切り替えるステップであって、睡眠機能形態は、第一および第二の形態可変パネル部材がそれぞれ第一および第二の側壁支持具から外側に延びる実質的に水平な位置に配置されることによって規定され、第一の形態可変パネル部材が第一の睡眠用領域を規定し、第二の形態可変パネル部材が第二の睡眠用領域を規定するステップと、を備える。
【００８０】
本方法は、実用／キャンパー兼用トレーラーを第一の実用機能形態または睡眠機能位置から第二の実用機能形態へ位置変更手段によって切り替える中間ステップをさらに備え、第二の実用機能位置は、第一および第二の形態可変パネル部材がそれぞれ第一および第二の側壁支持具から上方へ延びるように実質的に鉛直な位置に配置されることによって規定され、トレーラー荷台の内部容積を増加できるように第二の実用機能位置に第一および第二の形態可変パネル部材が配置される。
【００８１】
本発明はさらに、実用／キャンパー兼用トレーラーを実用トレーラーからキャンパートレーラーへ切り替える方法を特徴とする。その方法は、固定床からそれぞれ上方へ延びる第一の側壁支持具と第二の側壁支持具と支持具とによって規定される開放型トレーラー荷台を有する実用／キャンパー兼用トレーラーに第一および第二の形態可変パネル部材を結合し、第一および第二の形態可変パネル部材をそれぞれ第一および第二の側壁支持具に結合するステップと、実用／キャンパー兼用トレーラーを第一の実用機能形態に配置するステップであって、第一の実用機能形態は、第一および第二の形態可変パネル部材がそれぞれ第一および第二の側壁支持具から内側に延びて実質的に水平な位置に配置されることによって規定され、実用／キャンパー兼用トレーラーに載荷面を提供できる第一の実用機能位置に第一および第二の形態可変パネル部材が配置されるステップと、実用／キャンパー兼用トレーラーを第一の実用機能位置から睡眠機能位置へ切り替えるステップであって、睡眠機能形態は、第一および第二の形態可変パネル部材がそれぞれ第一および第二の側壁支持具から外側に延びる実質的に水平な位置に配置されることによって規定され、第一の形態可変パネル部材が第一の睡眠用領域を規定し、第二の形態可変パネル部材が第二の睡眠用領域を規定するステップとを備える。この睡眠機能形態は、テント組立品および囲まれた睡眠用領域を設けるように設計される。
【００８２】
本発明はさらに、実用空間を睡眠用領域へ切り替えるための方法を特徴とし、その方法は、（ａ）運搬ケース内に収納された畳み可能なテント組立品を取得するステップであって、収納および容易な運送のために畳める主支持構造物と、主支持構造物に合うように被さってテント組立品の囲まれた内側を構成することができるテントカバーとを備えるテント組立品を取得するステップと、（ｂ）テント組立品を収容することができる実用空間に畳み可能なテント組立品を配置するステップと、（ｃ）主支持構造物の一部を引き上げてそこに設けられた１以上の付勢される支持部材を作動させ、テント組立品を収納された畳み位置から完全に組み立てられた設営位置へと変移させるステップと、を備える。本方法は、さらに、（ｄ）ロック手段を用いて、完全に組み立てられた設営位置でテント組立品をロックするステップと、（ｅ）テント組立品のロックを外して主支持構造物をテント組立品が畳まれるまで引き下ろすことによって、テント組立品を完全に組み立てられた設営位置から畳まれた収納位置へと変移させるステップであって、テント組立品が実質的に組み立てられたままの状態で行われるステップと、（ｆ）主支持構造物に着脱可能に結合され、テント組立品の畳み可能な性質を妨げることなく必要に応じてじゃまにならないように折り畳めるテーブル組立品を提供するステップと、を備える。
【００８３】
本発明は本明細書に開示されたような実用／キャンパートレーラー１０と関連してテント組立品を記述しているが、本発明のテント組立品はこの種のトレーラーに限定されない。実際、本発明のテント組立品は、異なる種類のトレーラー、トラック荷台、クローゼット等のような、さまざまな車両または構造物を含むどんな実用空間であっても、適当な睡眠用領域がその実用空間で与えられさえすれば、そこで使用するように構成することができる。このように、本テント組立品のシステムおよび方法は、どのようにも限定するものとは意図されていない。発明の概念は、ある種類の実用空間に合わせることができ、収納のために畳み込むことができ、そして本明細書に教示されたような組立品によって簡単に設営される、着脱可能なテント組立品およびテント構造を提供できることである。例えば、本テント組立品はトラック荷台に合わせて構成することができる。この場合の設計では、テント組立品が提供する囲まれた領域を、トラック荷台の内側の大きさと同等としさえすればよい。
【００８４】
本発明は、その本質的性質の趣旨から逸脱することなく、他の特定の形態で具体化されてもよい。記述された実施の形態は、あらゆる点でもっぱら説明上のものであり制約的なものではないと見なされるものである。従って、本発明の範囲は、上記の記述によってではなく付記された請求の範囲によって示される。請求の範囲の均等物の趣意および範囲内のあらゆる変更は、請求の範囲内に包含されるものである。
【図面の簡単な説明】
【００８５】
【図１】図１は、第一の実用機能形態における実用／キャンパー兼用トレーラーの斜視図である。
【図２】図２は、第一の実用機能形態における実用／キャンパー兼用トレーラーの正面図である。
【図３】図３は、第二の実用機能形態における実用／キャンパー兼用トレーラーの斜視図である。
【図４】図４は、第二の実用機能形態における実用／キャンパー兼用トレーラーの正面図である。
【図５】図５は、睡眠機能形態における実用／キャンパー兼用トレーラーと、それと関連した、本発明の一実施形態によるテント組立品との斜視図である。
【図６】図６は、睡眠機能形態における実用／キャンパー兼用トレーラーと、それと関連した、本発明の一実施形態によるテント組立品との背面図である。
【図７】図７は、実用／キャンパー兼用トレーラーの他の実施の形態の斜視図であり、睡眠機能形態において形態可変パネル部材を支持するための手段の他の実施の形態、すなわち一連の突っ張り支持具の斜視図である。
【図８】図８は、他の実施の形態を示す図であって、経路組立品を備える位置変更手段を描いており、第一および第二の形態可変パネル部材が、経路内を双方向に滑動して実用／キャンパー兼用トレーラーを第一の実用機能形態と睡眠機能形態との間で切り替えることができる様子を示す。
【図９】図９は、図８に示された実施の形態の正面図である。
【図１０】図１０は、一実施形態によるテント組立品の枠組立品の斜視図である。
【図１１】図１１は、一実施形態による、半ば畳み込まれた位置におけるテント組立品の枠組立品を示す図である。
【図１２】図１２は、畳み込まれた収納可能な位置におけるテント組立品の枠組立品を示す図である。
【図１３】図１３は、本発明の一実施形態による、テントカバーに取り付けられた状態のテント組立品の主支持構造物の一部、特に枠組立品を詳細に示す図である。
【図１４】図１４は、本発明の一実施形態による、テント組立品の枠組立品の上部および部品同士の関係を詳細に示す図である。
【図１５Ａ】図１５Ａは、テント組立品をロック位置にロックするための手段、すなわち枠組立品に滑動可能に取り付けられたクイックリリース機構を示す図であり、テント組立品とクイックリリース機構とが解除位置にある状態を示す図である。
【図１５Ｂ】図１５Ｂは、テント組立品をロック位置にロックするための手段、すなわち枠組立品に滑動可能に取り付けられたクイックリリース機構を示す図であり、テント組立品とクイックリリース機構とがロック位置にある状態を示す図である。
【図１６】図１６は、枠組立品と、枠組立品に取り外し可能に結合されてテントカバーを支持するために用いられるいくつかの延長ステーとを備える主支持構造物の斜視図である。
【図１７】図１７は、テント組立品の全構成部品がそのままの状態で、テント組立品が実用／キャンパー兼用トレーラーのトレーラー荷台の内側部分へ折り畳まれあるいは畳み込まれ、かつ収納され得ることを示す図である。
【図１８】図１８は、本発明の一実施形態による、立てられた使用可能状態におけるテーブル組立品を示す図である。
【図１９】図１９は、本発明の一実施形態による、テーブル組立品のテーブル部分が回転あるいは回動して実質的に鉛直なあるいは直立した位置へと移動できるようになっている解除位置にあるテーブル組立品を示す図である。
【図２０】図２０は、解除位置にあって枠組立品のベース部へと折り畳まれた状態のテーブル組立品を示す図である。
【図２１】図２１は、解除位置にあって折り畳まれた状態のテーブル組立品を示し、テント組立品がテーブル組立品に妨げられることなく畳み込める様子を示す図である。
【図１】
2005535486.tif 000003
【図２】
2005535486.tif 000004
【図３】
2005535486.tif 000005
【図４】
2005535486.tif 000006
【図５】
2005535486.tif 000007
【図６】
2005535486.tif 000008
【図７】
2005535486.tif 000009
【図８】
2005535486.tif 000010
【図９】
2005535486.tif 000011
【図１０】
2005535486.tif 000012
【図１１】
2005535486.tif 000013
【図１２】
2005535486.tif 000014
【図１３】
2005535486.tif 000015
【図１４】
2005535486.tif 000016
【図１５Ａ】
2005535486.tif 000017
【図１５Ｂ】
2005535486.tif 000018
【図１６】
2005535486.tif 000019
【図１７】
2005535486.tif 000020
【図１８】
2005535486.tif 000021
【図１９】
2005535486.tif 000022
【図２０】
2005535486.tif 000023
【図２１】
2005535486.tif 000024